(57)【要約】【課題】  基礎見切りを容易に交換できるようにする。【解決手段】  外壁パネル３を土台２を介して基礎１に立設する。下地材１５の下端よりも下方に突出した外装材１９の下端部と下地材１５の下端面部とパネル枠体１２の下端部とからなるシール材充填用凹部２０内に下地材用シール材２１を充填する。パネル枠体１２の下端部の屋外側の面に基礎見切り受け具２３の固着縦片２４を固着する。基礎見切り２９を弾性シール材３１を介して基礎１に載置する。基礎見切り２９から突出した係止片３０を固着縦片２４から突出した被係止片２５に係止する。基礎見切り２９の係止片３０の上面と外装材１９の下端面との間に押さえ部材４０を挿入する。押さえ部材４０により係止片３０を上方から押さえる。【選択図】        図１
2006037684.tif 000002
【特許請求の範囲】
【請求項１】
パネル枠体の屋外側の面に下端がパネル枠体の下端よりも上方に位置するように下地材を取着すると共に下地材の屋外側の面に防水性を有する外装材を取着した外壁パネルを土台を介して基礎に立設し、下地材の下端よりも下方に突出した外装材の下端部と下地材の下端面部とパネル枠体の下端部とからなる下方に開口するシール材充填用凹部内に下地材用シール材を充填すると共に、パネル枠体の下端部の屋外側の面に基礎見切り受け具の固着縦片を固着し、基礎と外壁パネルとの間に形成された隙間を屋外側から覆う基礎見切りを弾性を有する弾性シール材を介して基礎に載置すると共に、該基礎見切りの上端から屋内側に向けて突出した断面逆Ｌ字状の係止片を前記基礎見切り受け具の固着縦片から屋外側に突出した前記外装材よりも下方に位置する断面Ｌ字状の被係止片に着脱自在に係止し、基礎見切りの係止片の上面と外装材の下端面との間に屋外側から押さえ部材を抜き差し自在に挿入し、該押さえ部材により基礎見切りの係止片を上方から押さえて、弾性シール材を基礎見切りの下面と基礎の上面とで圧縮して成ることを特徴とする基礎見切りの取付け構造。
【請求項２】
パネル枠体の屋外側の面に下端がパネル枠体の下端よりも上方に位置するように下地材を取着すると共に下地材の屋外側の面に防水性を有する外装材を取着した外壁パネルを土台を介して基礎に立設し、下地材の下端よりも下方に突出した外装材の下端部と下地材の下端面部とパネル枠体の下端部とからなる下方に開口するシール材充填用凹部内に下地材用シール材を充填すると共に、パネル枠体の下端部の屋外側の面に基礎見切り受け具の固着縦片を固着し、基礎と外壁パネルとの間に形成された隙間を屋外側から覆う基礎見切りの上端から屋内側に向けて突出した断面逆Ｌ字状の上係止片を前記基礎見切り受け具の固着縦片から屋外側に突出した前記外装材よりも下方に位置する断面Ｌ字状の受け具被係止片に着脱自在に係止すると共に、基礎見切りの前記上係止片よりも下方に位置する箇所から屋内側に向けて突出する断面逆Ｌ字状の下係止片を土台に設けた屋外側に突出する断面Ｌ字状の土台被係止片に着脱自在に係止し、基礎見切りの上係止片の上面と外装材の下端面との間に屋外側から押さえ部材を抜き差し自在に挿入し、該押さえ部材により基礎見切りの上係止片を上方から押さえて成ることを特徴とする基礎見切りの取付け構造。
【請求項３】
上記基礎見切り受け具の固着縦片に下地材用シール材を下方から覆う覆い横片を屋外側に向けて突設して成ることを特徴とする請求項１又は請求項２に記載の基礎見切りの取付け構造。
【発明の詳細な説明】
【技術分野】
【０００１】
本発明は基礎見切りの取付け構造に関するものである。
【背景技術】
【０００２】
基礎に土台を介して立設した外壁パネルにより外壁を形成した建物においては、従来から外壁パネルの下端部に基礎見切りを取付けてあり、該基礎見切りにより基礎の上端と外壁パネルの下端との間に形成された隙間を屋外側から覆っている（例えば特許文献１）。
【０００３】
この種の基礎見切りの取付け構造としては、パネル枠体の屋外側の面に下端がパネル枠体の下端よりも上方に位置するように下地材を取着すると共に下地材の屋外側の面に防水性を有するタイルからなる外装材を取着した外壁パネルを形成し、該外壁パネルを土台を介して基礎に立設し、基礎見切りの上端部をビスや釘等の固着具によりパネル枠体の下端部の屋外側の面に固着し、この固着具を打入した基礎見切りの上端部を覆うようにシール材を充填してなるものが知られており、このものにあっては、前記シール材により基礎見切りの上端部の固着具打入部からパネル枠体側に雨水が侵入することを防止しており、またこのシール材により製造上切断端面となる下地材の下端面から下地材内に雨水が侵入することを防止している。
【０００４】
ところで上記基礎見切りの取付け構造にあってはシール材が屋外に露出しているため、このシール材が紫外線や風雨に曝されて経年劣化してしまうという問題がある。
【０００５】
そこで本発明者は本発明に至る過程において、図３に示す基礎見切りの取付け構造を発明した。即ち図３に示すように防水性を有する外装材１９を下地材１５の下端よりも下方に突出するように取着し、これにより外装材１９の下地材１５よりも下方に突出した部分にてシール材２１の屋外側を覆ってシール材２１の経年劣化を防止するのである。なお図３の１は基礎、２は土台、３は外壁パネル、１２はパネル枠体、２７は固着具、６０は基礎見切りである。
【０００６】
しかしながらこのように外装材１９をシール材２１の屋外側を覆うように下地材１５に貼着した場合には次のような問題が生じる。即ち基礎見切り６０が変形したり破損する等した場合には基礎見切り６０の交換を行うのだが、この際外壁パネル３に取付けられた基礎見切り６０を取り外すには、まず下地材１５に取着したシール材２１を覆う外装材１９を剥し、この後シール材２１を取り除き、次いで固着具を取り外す必要があり、また新しい基礎見切り６０を外壁パネル３に取り付けるには、まず固着具２７により基礎見切り６０を外壁パネル３に取付け、この後、固着具２７を打入した基礎見切り６０の上端部を覆うようにシール材２１を充填し、次いで下地材１５にシール材２１を覆うように外装材１９を取着する必要があり、作業が非常に面倒である。
【特許文献１】特開平１１−２４１４１６号公報
【発明の開示】
【発明が解決しようとする課題】
【０００７】
本発明は上記従来の問題点に鑑みて発明したものであって、下地材用シール材により下地材の下端面から下地材内に雨水が侵入することを防止できると共に、該下地材用シール材が外部に曝されて劣化することを防止できるのは勿論、加えて基礎見切りが変形したり破損した場合に、基礎見切りの交換を容易に行うことができる基礎見切りの取付け構造を提供することを課題とする。
【課題を解決するための手段】
【０００８】
上記課題を解決するために本発明に係る基礎見切りの取付け構造は、パネル枠体１２の屋外側の面に下端がパネル枠体１２の下端よりも上方に位置するように下地材１５を取着すると共に下地材１５の屋外側の面に防水性を有する外装材１９を取着した外壁パネル３を土台２を介して基礎１に立設し、下地材１５の下端よりも下方に突出した外装材１９の下端部と下地材１５の下端面部とパネル枠体１２の下端部とからなる下方に開口するシール材充填用凹部２０内に下地材用シール材２１を充填すると共に、パネル枠体１２の下端部の屋外側の面に基礎見切り受け具２３の固着縦片２４を固着し、基礎１と外壁パネル３との間に形成された隙間２８を屋外側から覆う基礎見切り２９を弾性を有する弾性シール材３１を介して基礎１に載置すると共に、該基礎見切り２９の上端から屋内側に向けて突出した断面逆Ｌ字状の係止片３０を前記基礎見切り受け具２３の固着縦片２４から屋外側に突出した前記外装材１９よりも下方に位置する断面Ｌ字状の被係止片２５に着脱自在に係止し、基礎見切り２９の係止片３０の上面と外装材１９の下端面との間に屋外側から押さえ部材４０を抜き差し自在に挿入し、該押さえ部材４０により基礎見切り２９の係止片３０を上方から押さえて、弾性シール材３１を基礎見切り２９の下面と基礎１の上面とで圧縮して成ることを特徴とする。
【０００９】
上記基礎見切りの取付け構造により、シール材充填用凹部２０内に充填した下地材用シール材２１にて製造上切断端面となる下地材１５の下端面から下地材１５内に雨水が侵入することを防止でき、またこの下地材用シール材２１の屋外側を防水性を有する外装材１９の下地材１５よりも下方に突出した部分にて覆っているので、下地材用シール材２１が屋外側に露出して経年劣化することを防止でき、さらには弾性シール材３１は基礎１と基礎見切り２９との間に圧縮状態で介在しているため、基礎１と基礎見切り２９の隙間を確実に封止でき、しかも基礎見切り２９が変形したり破損する等した場合には、押さえ部材４０を基礎見切り２９の係止片３０の上面と外装材１９の下端面との間から引き抜き、基礎見切り２９の係止片３０と基礎見切り受け具２３の被係止片２５との係止を解除するだけで基礎見切り２９を取り外すことが可能となり、また新たな基礎見切り２９の係止片３０を基礎見切り受け具２３の被係止片２５に係止すると共に該基礎見切り２９を弾性シール材３１を介して基礎１に載置し、押さえ部材４０を基礎見切り２９の係止片３０の上面と外装材１９の下端面との間に挿入するだけで、基礎見切り２９を取付けることができ、基礎見切り２９の交換を容易にできる。
【００１０】
また請求項２の基礎見切りの取付け構造は、パネル枠体１２の屋外側の面に下端がパネル枠体１２の下端よりも上方に位置するように下地材１５を取着すると共に下地材１５の屋外側の面に防水性を有する外装材１９を取着した外壁パネル３を土台２を介して基礎１に立設し、下地材１５の下端よりも下方に突出した外装材１９の下端部と下地材１５の下端面部とパネル枠体１２の下端部とからなる下方に開口するシール材充填用凹部２０内に下地材用シール材２１を充填すると共に、パネル枠体１２の下端部の屋外側の面に基礎見切り受け具２３の固着縦片２４を固着し、基礎１と外壁パネル３との間に形成された隙間２８を屋外側から覆う基礎見切り２９の上端から屋内側に向けて突出した断面逆Ｌ字状の上係止片３０を前記基礎見切り受け具２３の固着縦片２４から屋外側に突出した前記外装材１９よりも下方に位置する断面Ｌ字状の受け具被係止片２５に着脱自在に係止すると共に、基礎見切り２９の前記上係止片３０よりも下方に位置する箇所から屋内側に向けて突出する断面逆Ｌ字状の下係止片４４を土台２に設けた屋外側に突出する断面Ｌ字状の土台被係止片４２に着脱自在に係止し、基礎見切り２９の上係止片３０の上面と外装材１９の下端面との間に屋外側から押さえ部材４０を抜き差し自在に挿入し、該押さえ部材４０により基礎見切り２９の上係止片３０を上方から押さえて成ることを特徴とする。
【００１１】
上記基礎見切りの取付け構造により、下地材用シール材２１にて製造上切断端面となる下地材１５の下端面から下地材１５内に雨水が侵入することを防止でき、またこの下地材用シール材２１の屋外側を防水性を有する外装材１９の下地材１５よりも下方に突出した部分にて覆っているので、下地材用シール材２１が屋外側に露出して経年劣化することを防止でき、しかも基礎見切り２９が変形したり破損する等した場合には、押さえ部材４０を基礎見切り２９の係止片３０の上面と外装材１９の下端面との間から引き抜き、上係止片３０と受け具被係止片２５との係止及び下係止片４４と土台被係止片４２との係止を解除するだけで、基礎見切り２９を取り外すことができ、また基礎見切り２９の上係止片３０を受け具被係止片２５に係止すると共に、基礎見切り２９の下係止片４４を土台被係止片４２に係止し、押さえ部材４０を基礎見切り２９の上係止片３０の上面と外装材１９の下端面との間に挿入するだけで、新たな基礎見切り２９を取付けることができ、基礎見切り２９の交換を容易にできる。
【００１２】
また請求項３は請求項１又は請求項２において、上記基礎見切り受け具２３の固着縦片２４に下地材用シール材２１を下方から覆う覆い横片２６を屋外側に向けて突設して成ることを特徴とする。
【００１３】
下地材用シール材２１を基礎見切り受け具２３の覆い横片２６によって下方から覆うことで、上記下地材用シール材２１の経年劣化をより一層防止できる。
【発明の効果】
【００１４】
本発明の請求項１では、下地材用シール材にて製造上切断端面となる下地材の下端面から下地材に雨水が侵入することを防止でき、またこの下地材用シール材が外部に曝されて経年劣化することを防止できるのは勿論、加えて基礎と基礎見切りの隙間を確実に封止でき、しかも基礎見切りが変形したり破損する等した場合には、基礎見切りを容易に交換できる。
【００１５】
また請求項２にあっては、下地材用シール材にて製造上切断端面となる下地材の下端面から下地材に雨水が侵入することを防止でき、またこの下地材用シール材が露出して経年劣化することを防止できるのは勿論、加えて基礎見切りが変形したり破損する等した場合には基礎見切りを容易に交換できる。
【発明を実施するための最良の形態】
【００１６】
以下、本発明を添付図面に示す実施形態に基いて説明する。
【００１７】
本実施形態の基礎見切りの取付け構造を図１に示す。図に示すように基礎１（布基礎又はべた基礎の外周部から上方に突出した部分）には土台２を介して外壁パネル３を立設している。
【００１８】
外壁パネル３は壁パネル本体１７で主体を構成している。壁パネル本体１７は、屋内外方向から見た形状が矩形枠状で木製のパネル枠体１２と、矩形枠状のパネル枠体１２によって囲まれた空所１４に配設した断熱材１３と、前記パネル枠体１２の空所１４を屋外側から覆う板状の下地材１５と、前記パネル枠体１２の空所１４を屋内側から覆う板状の内装材１６と、からなり、下地材１５はパネル枠体１２の屋外側の面に貼着されており、内装材１６はパネル枠体１２の屋内側の面に貼着されている。
【００１９】
パネル枠体１２の下面には下方に開口する嵌合凹部１８を基礎１の伸びる方向に沿って形成している。下地材１５は窯業系サイジングボードを切断して製造されたものであって、その下端がパネル枠体１２の下端よりも上方に位置するようにパネル枠体１２の屋外側の面に貼着されている。
【００２０】
下地材１５の屋外側の面の略全部には接着剤によりタイルからなる防水性を有する外装材１９を貼着している。外装材１９の下側は下地材１５の下端よりも下方に突出し且つその下端がパネル枠体１２の下端よりも上方に位置するように貼着されている。これにより下地材１５よりも下方に突出した部分である外装材１９の下端部と、下地材１５の下端よりも下方に突出した部分であるパネル枠体１２の下端部と、下地材１５の下端面部と、からなる下方に開口するシール材充填用凹部２０が形成されている。このシール材充填用凹部２０内には弾性を有する下地材用シール材２１が充填されている。なお図１の２２は上記接着剤が硬化した接着剤層である。
【００２１】
上記外壁パネル３を支持する土台２は換気用金物４を介して基礎１に載設されている。換気用金物４は屋内外方向から見た断面形状がロ字状、又はコ字状、又は横Ｈ字状に形成されており、該換気用金物４により基礎１と土台２との間に屋外側及び屋内側に開口する換気路５が形成されている。
【００２２】
土台２は基礎１の伸びる方向に長い長尺な断面Ｌ字状の部材であって、上記換気用金物４に直接載置された床載置用横片６と、床載置用横片６の屋外側の端から立ち上げた立上片７とからなる。
【００２３】
基礎１には上記換気用金物４及び土台２の下面部を構成する床載置用横片６を上下に貫通するアンカーボルト８を植設しており、このアンカーボルト８の床載置用横片６よりも上方に突出した雄ねじ部９にナット１０を螺合することで上記換気用金物４及び土台２は基礎１に固定されている。また土台２の床載置用横片６の屋内側は換気用金物４及び基礎１よりも屋内側に突出しており、この突出部分には床パネル１１が載置されている。即ち上記換気路５は床パネル１１の下方の床下空間に連通している。
【００２４】
土台２の立上片７の上端部は前記パネル枠体１２の嵌合凹部１８に嵌入してあり、これにより外壁パネル３のパネル枠体１２は土台２に支持されている。なお図示は省略するが、外壁パネル３の上端部は梁等に固定されているものとする。
【００２５】
外壁パネル３のパネル枠体１２の下端部には基礎見切り受け具２３を固着している。基礎見切り受け具２３は基礎１の伸びる方向に長い長尺な部材であって、パネル枠体１２の外装材１９よりも下方に突出した部分の屋外側の面に沿う固着縦片２４と、該固着縦片２４のパネル枠体１２よりも下方に位置する下端から屋外側に向けて突設した断面Ｌ字状の被係止片２５と、固着縦片２４の上端から屋外側に向けて突設した覆い横片２６とからなり、被係止片２５は外装材２９よりも下方に位置している。そして固着縦片２４はビスや釘等の固着具２７によりパネル枠体１２の外装材１９よりも下方に突出した部分の屋外側の面に固着されており、これにより基礎見切り受け具２３はパネル枠体１２に取着されている。
【００２６】
ここで覆い横片２６の上面は外装材１９の下端面と面一となっており、該覆い横片２６によりシール材充填用凹部２０内に充填した下地材用シール材２１は下方から覆われている。なお下地材用シール材２１は覆い横片２６にて上方に押圧されて、該下地材用シール材２１が、覆い横片２６、外装材１９の下端部、下地材１５の下端面部、パネル枠体１２の下端部、によって囲まれる空間に圧縮状態で隙間無く充填されてあっても良いし、また下地材用シール材２１は覆い横片２６にて上方に押圧されていないくても良いものとする。
【００２７】
基礎１の上端と外壁パネル３の下端との間に形成された隙間２８を屋外側から覆う基礎見切り２９は、基礎１の伸びる方向に長い長尺な部材である。基礎見切り２９の上端からは断面逆Ｌ字状の係止片３０を屋内側に向けて突出してあり、該基礎見切り２９の係止片３０は上記基礎見切り受け具２３の被係止片２５に着脱自在に係止している。またこの基礎見切り２９は弾性を有する弾性シール材３１を介して基礎１に載置されている。
【００２８】
上記基礎見切り２９について詳述する。基礎見切り２９は、基礎見切り本体３２と、該基礎見切り本体３２の上端（後述する上傾斜片３３の上端）から屋内側に向けて一体に突設した上記係止片３０とを有している。基礎見切り本体３２は下方程屋外側に位置するように傾斜した上傾斜片３３と、上傾斜片３３の下端から屋内側に向けて突設した横片３４と、横片３４の屋内側の端から下方に向けて突設した上縦片３５と、上縦片３５の下端から屋外側且つ下方の斜下方に向けて突設した下傾斜片３６と、下傾斜片３６の屋外側の端から下方に向けて突設した下縦片３７とを有しており、下傾斜片３６を前記弾性シール材３１を介して基礎１の上面に載置している。基礎見切り本体３２の横片３４には上下方向に貫通して基礎見切り２９の屋外側と屋内側とを連通させる換気孔３８を穿設してあり、しかして屋外空間は、基礎見切り２９の換気孔３８、基礎見切り２９と土台２との間に形成された空間３９、換気用金物４によって形成された換気路５、を順に介して床下空間に連通することとなり、これにより床下空間は換気されている。
【００２９】
上記基礎見切り２９の係止片３０の上面は覆い横片２６の下面よりも下方に位置している。この基礎見切り２９の係止片３０の上面と外装材１９の下端面との間には押さえ部材４０を抜き差し自在に挿入しており、該押さえ部材４０は基礎１の伸びる方向に長い長尺な部材からなる板状の部材で剛体である。押さえ部材４０の上面における屋内側は覆い横片２６の下面に当接してあり、また押さえ部材４０の下面における屋外側は係止片３０の上面に当接してあり、これにより押さえ部材４０は上下方向に移動不能となっている。押さえ部材４０は基礎見切り２９の係止片３０の上面を下方に押圧しており、これにより前記弾性シール材３１は基礎１の上面及び基礎見切り２９の下面（詳しくは下傾斜片３６の下面）に弾接して、基礎１の上面と基礎見切り２９の下面との間に上下に圧縮された状態で介在している。
【００３０】
上記基礎見切り２９の取付け構造にあっては、下地材１５の下方に形成されたシール材充填用凹部２０内に下地材用シール材２１を充填しているので、製造上切断端面となる下地材１５の下端面から下地材１５内に雨水が侵入することを防止できる。また下地材用シール材２１の屋外側を防水性を有する外装材１９の下地材１５よりも下方に突出した部分にて覆っているので、下地材用シール材２１が露出して経年劣化することを防止できる。さらには上記下地材用シール材２１はその下面の全部が基礎見切り受け具２３の覆い横片２６によって下方から覆われているため、上記下地材用シール材２１の外部に曝されることによる経年劣化をより一層防止できる。また固着縦片２４の固着具２７を打入した部分は押さえ部材４０により屋外側が覆われているため、該固着縦片２４の固着具打入部からパネル枠体１２側に雨水が流入することも防止できる。また弾性シール材３１は基礎１と基礎見切り２９との間に圧縮状態で介在しているため、基礎１と基礎見切り２９の隙間を確実に封止できる。
【００３１】
次に上記基礎見切り２９の取付け構造における外壁パネル３と基礎見切り２９の施工について説明する。まず基礎１の上面に換気用金物４を載置し、この後換気用金物４に土台２を載置する。次に嵌合凹部１８に立上片７の上端部を嵌入すると共に壁パネル本体１７の上端部を梁等に固定して壁パネル本体１７を土台２にて支持する。このように壁パネル本体１７を土台２を介して基礎１に立設した後、壁パネル本体１７の下地材１５の屋外側の面に外装材１９を貼着する。この時、外装材１９は下地材１５の下端よりも下方に突出し且つその下端がパネル枠体１２の下端よりも上方に位置するように貼着する。これにより下地材１５の下方には上記下方に開口するシール材充填用凹部２０が形成される。次にシール材充填用凹部２０内に下方から下地材用シール材２１を充填する。次に基礎見切り受け具２３の固着縦片２４をパネル枠体１２の下端部の屋外側の面に沿わせ、この後、固着縦片２４に屋外側からビスや釘等の固着具２７を打入すると共に該固着具２７の先端部をパネル枠体１２の外装材１９よりも下方に突出した部分に固着して、基礎見切り受け具２３をパネル枠体１２に取着する。次に基礎見切り２９を弾性シール材３１を介して基礎１に載置すると共に、基礎見切り２９の係止片３０を上記基礎見切り受け具２３の被係止片２５に係止する。この後、基礎見切り２９を弾性シール材３１の弾性力に抗して若干下方に移動させながら、基礎見切り２９の係止片３０の上面と外装材１９の下端面との間に屋外側から押さえ部材４０を挿入し、該押さえ部材４０の上面を覆い横片２６の下面に当接すると共に押さえ部材４０の下面を係止片３０の上面に当接する。しかして外壁パネル３及び基礎見切り２９の施工が完了する。
【００３２】
そして上記のように施工された基礎見切り２９が変形したり破損する等した場合には、以下に示すように基礎見切り２９の交換を行う。
【００３３】
変形又は破損した基礎見切り２９の交換を行うにあたっては、まず基礎見切り２９の係止片３０の上面と外装材１９の下端面との間に挿入された押さえ部材４０を屋外側に引き抜き、基礎見切り２９を上方に移動可能な状態とする。この後、基礎見切り２９を上方に移動して基礎見切り２９の係止片３０と被係止片２５との係止を解除して、基礎見切り２９を基礎見切り受け具２３から取り外す。そして用意した新たな基礎見切り２９を弾性シール材３１を介して基礎１に載置すると共に、該基礎見切り２９の係止片３０を被係止片２５に係止し、この後、押さえ部材４０を屋外側から基礎見切り２９の係止片３０の上面と外装材１９の下端面との間に挿入する。しかして基礎見切り２９の交換が完了する。
【００３４】
このように本発明では押さえ部材４０を基礎見切り２９の係止片３０の上面と外装材１９の下端面との間から引き抜き、基礎見切り２９の係止片３０と基礎見切り受け具２３の被係止片２５との係止を解除するだけで基礎見切り２９を取り外すことが可能となり、また新たな基礎見切り２９を弾性シール材３１を介して基礎１に載置すると共に該基礎見切り２９の係止片３０を基礎見切り受け具２３の被係止片２５に係止し、押さえ部材４０を基礎見切り２９の係止片３０の上面と外装材１９の下端面との間に挿入するだけで、基礎見切り２９を取付けることができ、基礎見切り２９の交換が容易となる。
【００３５】
次に上記とは異なる実施形態について説明する。なお上記実施形態と同一の構成については同一の番号を付与してあり、重複する説明については説明を省略する。
【００３６】
図２に示すように本実施形態の基礎見切り２９の取付け構造にあっては、換気用金物４を設けておらず、基礎１に直接土台２を載設している。土台２は基礎１の伸びる方向に長い長尺な部材であって、基礎１に直接載置された載設横片４６と、載設横片４６の屋内側の端から立上げた垂上片４７と、載設横片４６の屋外側の端から立ち上げた前記垂上片４７よりも背の低い突片４１と、からなり、その下端から載設横片４６と突片４１とで構成された断面Ｌ字状の土台被係止片４２を屋外側に向けて突出している。
【００３７】
基礎１には土台２の下面部を構成する載設横片４６を上下に貫通するアンカーボルト４８を植設しており、このアンカーボルト４８の載設横片４６よりも上方に突出した雄ねじ部４９にナット５０を螺合することで土台２は基礎１に固定されている。また土台２の垂上片４７には屋内外方向に貫通する貫通孔４３を穿設している。
【００３８】
基礎見切り２９は、基礎見切り本体３２と、上記図１の実施形態の係止片３０からなる上係止片３０と、この上係止片３０よりも下方に位置する箇所から屋内側に向けて突出する断面逆Ｌ字状の下係止片４４と、を有しており、下係止片４４は上縦片３５の下端から屋内側に向けて突出している。基礎見切り２９の上係止片３０は上記図１に示す実施形態における被係止片２５からなる基礎見切り受け具２３の受け具被係止片２５に着脱自在に係止してあり、また基礎見切り２９の下係止片４４は前記土台２の土台被係止片４２に着脱自在に係止している。ここで本実施形態の基礎見切り２９の取付け構造にあっては図１に示す実施形態のように弾性シール材３１を設けておらず、即ち基礎見切り２９は基礎見切り受け具２３及び土台２に載置している。また基礎見切り２９には上記図１の実施形態同様、換気孔３８を穿設してあり、しかして屋外空間は、基礎見切り２９の換気孔３８、基礎見切り２９と土台２との間に形成された空間４５、土台２に穿設した貫通孔４３、を順に介して床下空間に連通することとなり、これにより床下空間は換気されている。
【００３９】
また本実施形態でも基礎見切り２９の上係止片３０の上面と外装材１９の下端面との間に押さえ部材４０を抜き差し自在に挿入している。押さえ部材４０は基礎見切り２９の上係止片３０を上方から押さえており、これにより基礎見切り２９が上方に移動して上係止片３０及び下係止片４４の夫々の係止が外れてしまうことを防止している。
【００４０】
次に本実施形態における基礎見切り２９の取付け構造における外壁パネル３と基礎見切り２９の施工につき説明する。まず基礎１の上面に土台２を載置し、この後嵌合凹部１８に垂上片４７の上端部を嵌入すると共に壁パネル本体１７の上端部を梁等に固定して壁パネル本体１７を土台２にて支持する。このように壁パネル本体１７を土台２を介して基礎１に立設した後、上記図１に示す実施形態と同様に、下地材１５の屋外側の面に外装材１９を貼着し、シール材充填用凹部２０内に下地材用シール材２１を充填し、基礎見切り受け具２３をパネル枠体１２に取着する。次に基礎見切り２９の上係止片３０を受け具被係止片２５に係止すると共に、基礎見切り２９の下係止片４４を土台被係止片４２に係止する。この後、基礎見切り２９の係止片３０の上面と外装材１９の下端面との間に屋外側から押さえ部材４０を挿入し、該押さえ部材４０の屋内側の上面を覆い横片２６の下面に当接すると共に押さえ部材４０の屋外側の下面を係止片３０の上面に当接する。しかして外壁パネル３及び基礎見切り２９の施工が完了する。
【００４１】
そして上記のように施工された基礎見切り２９が変形したり破損する等した場合には、以下に示すように基礎見切り２９の交換を行う。
【００４２】
変形又は破損した基礎見切り２９の交換を行うにあたっては、まず基礎見切り２９の上係止片３０の上面と外装材１９の下端面との間に挿入された押さえ部材４０を屋外側に引き抜き、基礎見切り２９を上方に移動可能な状態とする。この後基礎見切り２９を上方に移動して、基礎見切り２９の上係止片３０と受け具被係止片２５との係止を解除すると共に、基礎見切り２９の下係止片４４と土台被係止片４２との係止を解除して、基礎見切り２９を基礎見切り受け具２３及び土台２から取り外す。そして用意した新たな基礎見切り２９の上係止片３０を受け具被係止片２５に係止すると共に、基礎見切り２９の下係止片４４を土台被係止片４２に係止し、この後押さえ部材４０を屋外側から基礎見切り２９の係止片３０の上面と外装材１９の下端面との間に挿入する。しかして基礎見切り２９の交換が完了する。
【００４３】
このように本実施形態では、押さえ部材４０を基礎見切り２９の上係止片３０の上面と外装材１９の下端面との間から引き抜き、上係止片３０と受け具被係止片２５との係止を解除すると共に下係止片４４と土台被係止片４２との係止を解除するだけで、基礎見切り２９を基礎見切り受け具２３から取り外すことができ、また基礎見切り２９の上係止片３０を受け具被係止片２５に係止すると共に、基礎見切り２９の下係止片４４を土台被係止片４２に係止し、押さえ部材４０を基礎見切り２９の上係止片３０の上面と外装材１９の下端面との間に挿入するだけで、基礎見切り受け具２３に取付けることができ、基礎見切り２９の交換が容易となる。
【００４４】
なお上記図１及び図２に示す実施形態において説明した基礎見切り２９の施工は一例を示すものであり、上記に限定されるものではなく、例えば前述した説明では壁パネル本体１７を土台２を介して基礎１に立設した後、壁パネル本体１７の下地材１５の屋外側の面に外装材１９を貼着し、この後シール材充填用凹部２０に下地材用シール材２１を充填したが、壁パネル本体１７の下地材１５に外装材１９を貼着してなる外壁パネル３を工場にて製造し、該外壁パネル３を土台２を介して基礎１に立設し、この後上記したように下地材用シール材２１、基礎見切り受け具２３、基礎見切り２９を順に施工しても良いものとする。
【図面の簡単な説明】
【００４５】
【図１】本発明の実施の形態の基礎見切りの取付け構造の一例を示し、図は断面図である。
【図２】図１とは異なる実施の形態の基礎見切りの取付け構造の一例を示し、図は断面図である。
【図３】従来の基礎見切りの取付け構造を示す断面図である。
【符号の説明】
【００４６】
１  基礎
２  土台
３  外壁パネル
１２  パネル枠体
１５  下地材
１９  外装材
２０  シール材充填用凹部
２１  下地材用シール材
２３  基礎見切り受け具
２４  固着縦片
２５  被係止片（受け具被係止片）
２６  覆い横片
２７  固着具
２８  隙間
２９  基礎見切り
３０  係止片（上係止片）
３１  弾性シール材
４０  押さえ部材
４２  土台被係止片
４４  下係止片
【図１】
2006037684.tif 000003
【図２】
2006037684.tif 000004
【図３】
2006037684.tif 000005